(57)【要約】【課題】  光源からの光のゆらぎを抑制し、均一な明るさにする内視鏡装置の照明光学系を提供する。【解決手段】  キセノンランプを内蔵した光源３２は、第１集光レンズ４０に向けて、明るさが均一ではない照射光ＰＬを照射する。ロッドレンズ４２は、第１集光レンズ４０を透過した照射光ＰＬがロッドレンズ入射面４２Ａに入射すると、照射光ＰＬを拡散させて、均一な明るさの照明光ＩＬを、ロッドレンズ出射面４２Ｂから出射する。平行レンズ４４が照明光ＩＬを平行な光にし、さらに第２集光レンズ４６が照明光ＩＬを集光する。この結果、光源３２が不均一な明るさの照射光ＰＬを照射するものの、ロッドレンズ４２により、明るさが均一な照明光ＩＬが、ライトガイド入射端２２Ａに入射し、被写体を照明する。【選択図】    図２
2006020781.tif 000002
【特許請求の範囲】
【請求項１】
光を照射する光源と、
前記光源からの光を集光する第１の集光光学系と、
前記第１の集光光学系からの光束が入射するロッドレンズと、
前記ロッドレンズから出射する光束を平行にする第２の集光光学系と、
前記第２の集光光学系からの光束を被写体に向けて導く導光手段と
を備えることを特徴とする内視鏡用光学系。
【請求項２】
前記導光手段が、前記第２の集光光学系からの平行光束を集光する第３の集光光学系を有することを特徴とする請求項１に記載の内視鏡用光学系。
【請求項３】
請求項１に記載の内視鏡用光学系を備え、前記第２の集光光学系と前記導光手段との間に配置された絞りと、前記絞りを駆動する絞り駆動手段とを備えることを特徴とする光照射制御装置。
【発明の詳細な説明】
【技術分野】
【０００１】
本発明は、内視鏡装置の光学系に関し、特に、光源からの光を被写体に照射させる照明光学系に関する。
【背景技術】
【０００２】
内視鏡装置は、光が無い体内組織を被写体像として表示するために、光源からの光を、ライトガイドを介して被写体に照射して照明を行う。光源としては、主にキセノンランプ等が用いられている（例えば特許文献１）。
【特許文献１】特開２００３−３３４１５６号公報（段落［００１７］、図１）
【０００３】
また、内視鏡装置の光源から生じた照明光の一部を、被写体の照明以外の目的で、ロッドレンズを用いて導光することが知られている（例えば特許文献２）。
【特許文献２】実開平５−９０４２６号公報（段落［００４２］、［００４３］、図１）
【発明の開示】
【発明が解決しようとする課題】
【０００４】
内視鏡装置に使用されるキセノンランプ等の光源からの照明光は、ゆらぎを生じる傾向にあり、この結果、表示される被写体像もゆらいで、観察に支障をきたすおそれがある。
【０００５】
本発明は、光源からの光のゆらぎを抑制し、均一な明るさにする内視鏡装置の照明光学系を実現することを目的とする。
【課題を解決するための手段】
【０００６】
本発明の内視鏡用光学系は、光を照射する光源と、光源からの光を集光する第１の集光光学系と、第１の集光光学系からの光束が入射するロッドレンズと、ロッドレンズから出射する光束を平行にする第２の集光光学系と、第２の集光光学系からの光束を被写体に向けて導く導光手段とを備える。
【０００７】
導光手段は、第２の集光光学系からの平行な光束を集光する第３の集光光学系を有することが好ましい。
【０００８】
本発明の光照射制御装置は、内視鏡用光学系を備え、第２の集光光学系と導光手段との間に配置された絞りと、絞りを駆動する絞り駆動手段とを備える。
【発明の効果】
【０００９】
本発明によれば、光源からの光のゆらぎを抑制し、均一な明るさにする内視鏡装置の照明光学系を実現できる。
【発明を実施するための最良の形態】
【００１０】
以下、本発明の実施形態を、図面を参照して説明する。図１は、本実施形態における内視鏡装置１０のブロック図である。
【００１１】
内視鏡装置１０は、患者の体腔内の撮影に用いられるビデオスコープ２０と、ビデオスコープ２０に照明光を供給するとともにビデオスコープ２０から送られてくる映像信号を処理するプロセッサ３０とを備える。ビデオスコープ２０は、プロセッサ３０に着脱自在に接続され、プロセッサ３０にはモニタ６０が接続されている。
【００１２】
プロセッサ３０には、光源と、光源からの光の照射を制御するためのレンズ等を含む照明光学系３６が設けられている。照明光学系３６内の光源に、光源用電源３４から電源が供給されると、照明光学系３６は、被写体観察のための照明光を、ビデオスコープ２０のライトガイド２２の入射端２２Ａに向けて照射する。ライトガイド２２を通った照明光は、ビデオスコープ２０の先端にあるライトガイド２２の出射端２２Ｂから、配光レンズ２６を介して、被写体である観察部位に向けて照射される。なお、照明光の照射は、照明光学系３６によって制御され、照明光の光量は、絞り駆動モータ４８によって駆動される絞り３８で調節される。
【００１３】
被写体からの反射光は、ビデオスコープ２０の先端に設けられた対物レンズ２８を経て、多数の画素から成るＣＣＤ２１によって受光される。ＣＣＤ２１では、被写体像に対応した映像信号が発生する。発生した映像信号は、プロセッサ３０内に設けられた映像信号処理回路５２に送信される。映像信号には、映像信号処理回路５２において所定の処理が施され、処理された映像信号に基づいて、モニタ６０上に被写体像が表示される。
【００１４】
プロセッサ３０には、制御回路５４が設けられており、光源用電源３４、照明光学系３６、絞り駆動モータ４８、映像信号処理回路５２の映像信号処理動作等をコントロールする。また、観察された患者の情報や、プロセッサ３０に接続されるビデオスコープ２０を認識するための情報は、制御回路５４内のフラッシュメモリ５３に記録されている。
【００１５】
図２は、本実施形態の照明光学系３６を示す側面図である。
【００１６】
照明光学系３６は、光源３２、第１集光レンズ４０、ロッドレンズ４２、平行レンズ４４及び第２集光レンズ４６を含む。光源３２は、サーマックスタイプのキセノンランプ（図示せず）を内蔵しており、第１集光レンズ４０に向けて照射光ＰＬを照射する。照射光ＰＬは、キセノンランプに封入されたキセノンガスの対流の影響によってゆらぎを生じており、明るさが均一ではない。照射光ＰＬは、第１集光レンズ４０によって集光され、ロッドレンズ４２の入射面４２Ａに入射する。
【００１７】
円柱状のロッドレンズ４２は、円形のロッドレンズ入射面４２Ａに照射光ＰＬが入射すると、内部を透過する照射光ＰＬを拡散させることにより、ゆらぎのない、均一な明るさの光である照明光ＩＬを、ロッドレンズ出射面４２Ｂから出射する。照明光ＩＬは、ロッドレンズ４２の性質上、ロッドレンズ出射面４２Ｂから発散される。発散した照明光ＩＬは、平行レンズ４４を介して平行にされてから、第２集光レンズ４６により再び集光される。平行レンズ４４と第２集光レンズ４６との間には、絞り駆動モータ４８によって駆動される絞り３８が設けられており、照明光学系３６と、絞り３８及び絞り駆動モータ４８により、光照射制御装置が形成される。そして、光照射制御装置の絞り３８によって、照明光ＩＬの光量が調整される。第２集光レンズ４６によって集光された照明光ＩＬは、赤外カットフィルタ４９を通過して赤外線成分が除かされた後に、ライトガイド入射端２２Ａに入射する。
【００１８】
こうして、光源３２が不均一な明るさの照射光ＰＬを照射するものの、ロッドレンズ４２により、明るさが均一な照明光ＩＬが、被写体の照明に用いられる。この結果、モニタ６０には、ゆらぎを生じない、視認性の高い被写体像が表示される。
【００１９】
なお、光源３２内のキセノンランプが、平行な照射光ＰＬを照射するために、照射光ＰＬを集光するための第１集光レンズ４０が設けられているが、平行光ではなく、集光する光を照射する、集光型のキセノンランプが使用される場合においては、第１集光レンズ４０は不要である。この場合、光源３２は、ロッドレンズ入射面４２Ａにおいて集光するように、照射光ＰＬを照射する。
【００２０】
以上のように、本実施形態によれば、光源３２が照射する光のゆらぎを抑制し、均一な明るさの光を被写体照明のために供給する、内視鏡装置の照明光学系を実現できる。
【００２１】
本実施形態においては、キセノンランプが光源３２において用いられているが、不均一な明るさの光を照射し得るハロゲンランプ等による光源を用いた場合においても、照明光学系３６の形成により、均一な明るさの光による被写体照明が可能である。
【図面の簡単な説明】
【００２２】
【図１】内視鏡装置のブロック図である。
【図２】本実施形態の照明光学系を示す側面図である。
【符号の説明】
【００２３】
１０  内視鏡装置
２０  ビデオスコープ
２２  ライトガイド（導光手段）
２２Ａ  ライトガイド入射端
３０  プロセッサ
３２  光源
３６  照明光学系（内視鏡用光学系）
３８  絞り
４０  第１集光レンズ（第１の集光光学系）
４２  ロッドレンズ
４４  平行レンズ（第２の集光光学系）
４６  第２集光レンズ（導光手段・第３の集光光学系）
４８  絞り駆動モータ（絞り駆動手段）
ＰＬ  照射光（光）
ＩＬ  照明光
【図１】
2006020781.tif 000003
【図２】
2006020781.tif 000004